(57)【特許請求の範囲】
【請求項１】
車体パネルに互いに離反した位置に配設された複数の作業孔をシールするシーリングカバーであって、
前記複数の作業孔とこれらの作業孔間を覆う大きさを有し、
前記複数の作業孔間を覆うカバー中間部に、前記シーリングカバーの一端側から他端側に延びて破断されると前記カバー中間部の全部を切り離して前記複数の作業孔間の車体パネルに設けられたセンターレールを露出させる第１破断線及び第２破断線を設け、
前記カバー中間部は、前記複数の作業孔間の前記センターレールの溝部に係合可能な凸部を有することを特徴とするシーリングカバー。
【発明の詳細な説明】
【技術分野】
【０００１】
本発明は、水や埃等が車両内部に侵入するのを防ぐためのシーリングカバーに関する。
【背景技術】
【０００２】
車両の内部、例えば、車両のドアパネル内には種々の部品が配設されている。これらの部品は、ドアパネルに設けられた複数の作業孔からドアパネル内に装着されるとともに、作業孔を介して保守作業が行われる。しかしながら、こられの作業孔は、雨水や埃等をドア内部に侵入させて車両の機能を低下させる虞があるため、シーリングカバーによってシールされている（特許文献１参照）。
【０００３】
このようなシーリングカバーはドアパネルの内側の略全面を覆う大きさを有し、トリムクリップをドアパネルに形成されたトリムクリップ用の穴に挿着することによって、シーリングカバーがドアパネルに装着されて、作業孔がシールされる。
【０００４】
【特許文献１】特開平９−４８２４０号公報
【発明の開示】
【発明が解決しようとする課題】
【０００５】
ここで、ドアをスライド移動させるため、ドアパネルインナの車体内側の側面に車両前後方向に延びるセンターレールを配設したドアパネルでは、ドアパネルの内側の略全面を覆う大きさを有したシーリングカバーをドアパネルに装着すると、センターレールがシーリングカバーによって覆われてセンターレールの使用が困難になる。そこで、複数の作業孔のそれぞれに対応してシール可能なシーリングカバーを複数用意し、センターレールを露出させたままで各作業孔をシールする方法が提案されている。
【０００６】
しかしながら、各作業孔に応じたシーリングカバーを用意して作業孔をシールすると、シーリングカバーの部品点数や作業工数が増加するという問題が生じる。
【０００７】
本発明は、このような問題に鑑みてなされたものであり、車体パネルに設けられた作業孔をシールする場合において、シーリングカバーの部品点数や作業工数を増加させないシーリングカバーを提供することを目的とする。
【課題を解決するための手段】
【０００８】
上記目的を達成するために本発明のシーリングカバーは、車体パネル（例えば、実施形態におけるドアパネル１）に互いに離反した位置に配設された複数の作業孔（例えば、実施形態における上部作業孔４、下部作業孔６）をシールするシーリングカバーであって、複数の作業孔とこれらの作業孔間を覆う大きさを有し、複数の作業孔間を覆うカバー中間部に、シーリングカバーの一端側から他端側に延びて破断されるとカバー中間部の全部を切り離して複数の作業孔間の車体パネルに設けられたセンターレールを露出させる第１破断線及び第２破断線を設け、カバー中間部は、複数の作業孔間のセンターレール溝部に係合可能な凸部を有することを特徴とする。
【０００９】
この発明によれば、シーリングカバーは複数の作業孔とこれらの作業孔間を覆う大きさを有し、カバー中間部にシーリングカバーの一端側から他端側に延びる第１破断線及び第２破断線を設けることにより、複数の作業孔とこれらの作業孔間を覆うようにしてシーリングカバーによって複数の作業孔をシールした状態で第１破断線及び第２破断線を破断すると、カバー中間部の全部が切り離されて作業孔間の車体パネルに設けられたセンターレールが露出する。このため、複数の作業孔のそれぞれをシール可能なシーリングカバーを複数用意して作業孔をシールする場合と比較して、本発明に係わるシーリングカバーは、シーリングカバーの部品点数や作業工数を少なくすることができ、その結果として車体パネルの製造コストを安価にすることができる。またカバー中間部はセンターレールの溝部に係合可能な凸部を有することで、シーリングカバーを車体パネルに装着する場合、凸部をセンターレールの溝部に係合させるだけで、複数の作業孔のそれぞれを覆うシーリングカバーの部分の位置決めを行うことができる。このため、シーリングカバーの装着作業の作業性を向上させることができる。
【発明の効果】
【００１０】
本発明によれば、複数の作業孔とこれらの作業孔間を覆う大きさを有し、複数の作業孔間を覆うカバー中間部に、シーリングカバーの一端側から他端側に延びて破断されるとカバー中間部の全部を切り離して複数の作業孔間の車体パネルに設けられたセンターレールを露出させる第１破断線及び第２破断線を設け、カバー中間部はセンターレールの溝部に係合可能な凸部を有することよって、複数の作業孔をシールすることで、シーリングカバーの部品点数や作業工数の増加を防止可能であり、また複数の作業孔のそれぞれを覆うシーリングカバーの部分の位置決めを容易に行うことが可能なシーリングカバーを提供することができる。
【発明を実施するための最良の形態】
【００１１】
以下、本発明に係わるシーリングカバーの好ましい実施の形態を図１から図３に基づいて説明する。なお、本発明の実施の形態は、車体パネルのうちドアパネルのドアパネルインナに形成された複数の作業孔をシールする場合を例にして説明する。
【００１２】
シーリングカバー２０は、図１（ｂ）（斜視図）に示すように、変形可能な材料製（例えば、合成樹脂材料製）であって板状であり、ドアパネルインナ３に形成された上部作業孔４と下部作業孔６及びこれらの作業孔間を覆うことが可能な大きさを有する。なお、上部作業孔４はドアパネルインナ３の上部に形成されて前後方向に延び、下部作業孔６は上部作業孔４の下方に配設されて前後方向に延びる。上部作業孔４と下部作業孔６との間のドアパネルインナ３には、ドアパネル１を車体(図示せず)に対して前後方向にスライド移動させるセンターレール８が前後方向に延びて取り付けられている。センターレール８はその延伸方向と同一方向に延びて車体内側に開口する溝部８ａを有して形成されている。
【００１３】
シーリングカバー２０の中間部（以下、「カバー中間部２１」と記す。）には、破断されるとカバー中間部２１の全てを切り離して作業孔間に配設されたセンターレール８を露出させる破断線２５が設けられている。破断線２５は、カバー中間部２１の上端部に形成されてシーリングカバー２０の前端から後端に延びる第１破断線２６と、カバー中間部２１の下端部に形成されてシーリングカバー２０の前端から後端に延びて第１破断線２６と略平行に延びる第２破断線２７とを有してなる。カバー中間部２１がセンターレール８を覆った状態において、第１破断線２６はセンターレール８の上方位置に配置されるとともに、第２破断線２７はセンターレール８の下方位置に配置される。このため、カバー中間部２１の一方側端部を挟持してセンターレール８から離反する方向にカバー中間部２１を引っ張って破断線２６、２７を破断してカバー中間部２１を切り離すと、センターレール８を露出させることができる。
【００１４】
次に、シーリングカバー２０が貼り付けられたドアパネル１のシール構造について説明する。図２（ｄ）（斜視図）に示すように、ドアパネルインナ３の上部に形成された上部作業孔４にはこれを覆ってシールする上シーリングカバー２０ａが貼付され、ドアパネルインナ３の下部に形成された下部作業孔６にはこれを覆ってシールする下シーリングカバー２０ｂが貼付されている。上シーリングカバー２０ａ及び下シーリングカバー２０ｂは、それぞれをシールする作業孔よりも大きく形成されて、各作業孔の外側周縁部に塗り付けられた図３（ｂ）に示すシール部材３０に貼付されて作業孔をシールする。上シーリングカバー２０ａ及び下シーリングカバー２０ｂは、前述した図１（ｂ）に示すシーリングカバー２０からカバー中間部２１を切り離して残された部分で構成されている。このため、上部作業孔４と下部作業孔６との間に配設されたセンターレール８は露出状態にある。
【００１５】
次に、ドアパネル１にシーリングカバー２０を貼り付けて作業孔をシールするドアパネル１のシール方法について説明する。先ず、図１（ａ）（斜視図）に示すように、ドアパネル１を用意する。そして、図１（ｂ）に示すように、上部作業孔４と下部作業孔６との間を跨ぐようにしてシーリングカバー２０を配置し、シーリングカバー２０によってこれらの作業孔を覆ってシールする。なお、上部作業孔４と下部作業孔６は、これらの作業孔の外側周縁部に塗り付けられた前述した図３（ｂ）に示すシール部材３０にシーリングカバー２０を貼付することによって覆われてシールされる。
【００１６】
そして、図２（ｃ）に示すように、第１破断線２６及び第２破断線２７間のカバー中間部２１の一方側端部を挟持してこれをセンターレール８から離反する方向に引っ張って第１破断線２６及び第２破断線２７を破断する。そして、破断線間のカバー中間部２１をシーリングカバー２０から切り離す。その結果、図２（ｄ）（斜視図）に示すように、上部作業孔４及び下部作業孔６を上シーリングカバー２０ａ及び下シーリングカバー２０ｂによってシールしたままで、センターレール８を露出させることができる。
【００１７】
このように、１枚のシーリングカバー２０によって上部作業孔４及び下部作業孔６を覆ってシールして、破断線２５を破断すると、カバー中間部２１が切り離されてセンターレール８が露出する。このため、複数の作業孔のそれぞれをシール可能なシーリングカバーを用意してシールする場合と比較して、本発明に係わるドアパネル１のシール方法は、シーリングカバー２０の部品点数や作業工数を少なくすることができ、その結果としてドアパネル１の製造コストを安価にすることができる。
【００１８】
なお、シーリングカバー２０は、図３（ｃ）（断面図）に示すように、そのカバー中間部２１にセンターレール８の溝部８ａに係合可能な凸部２２を設けて構成されてもよい。凸部２２は、カバー中間部２１に凸状に形成されてカバー中間部２１の前端から後端まで延びる。凸部２２は、これが溝部８ａに係合すると、カバー中間部２１の上下に繋がるシーリングカバー２０の上下両側（上シーリングカバー２０ａ、下シーリングカバー２０ｂ）によって上部作業孔４及び下部作業孔６を覆ってシール可能にする位置に形成されている。このため、凸部２２を溝部８ａに係合させるだけで、複数の作業孔４、６のそれぞれをシールする上シーリングカバー２０ａ、下シーリングカバー２０ｂの位置決めを容易に行うことができる。なお、凸部２２はカバー中間部２１の溝部８ａの形状に応じたものとしたり、溝部８ａの一部と係合するようにしたりしてもよい。
【００１９】
このような凸部２２を有したシーリングカバー２１をドアパネル１に装着するには、図３（ｂ）に示すように、凸部２２がセンターレール８の溝部８ａに対向するようにシーリングカバー２０を配置し、カバー中間部２１の上下に繋がる上シーリングカバー２０ａ及び下シーリングカバー２０ｂをセンターレール８から離反する側に延びるようにシーリングカバー２０を変形させる。従って、シーリングカバー２０はその上下両側がシール部材３０に接触し難い姿勢になり、凸部２２を溝部８ａに挿入するときにシーリングカバー２０の上下両側がシール部材３０に接触して、シーリングカバー２０が作業孔に対してずれた状態で貼付される事態を未然に防止することができる。そして、凸部２２を溝部８ａに挿入する。
【００２０】
そして、図３（ａ）及び（ｃ）に示すように、上シーリングカバー２０ａ及び下シーリングカバー２０ｂをセンターレール８側に倒してシール部材３０に貼付する。その結果、上部作業孔４及び下部作業孔６は上シーリングカバー２０ａ及び下シーリングカバー２０ｂによってシールされる。ここで、上シーリングカバー２０ａ及び下シーリングカバー２０ｂは凸部２２の溝部８ａへの係合によって上部作業孔４及び下部作業孔６に対して位置決めされるので、上シーリングカバー２０ａ及び下シーリングカバー２０ｂが対応する作業孔に対して位置ずれが生じることはなく、作業孔を確実にシールすることができる。また、凸部２２を溝部８ａに係合させるだけで、上シーリングカバー２０ａ及び下シーリングカバー２０ｂの位置決めができるので、作業孔をシールする作業の作業性を向上さることができる。
【００２１】
そして、図３（ｄ）に示すように、カバー中間部２１の一方側端部を挟持してセンターレール８から離反する方向にカバー中間部２１を引っ張って第１破断線２６及び第２破断線２７を破断して、カバー中間部２１をシーリングカバー２０から切り離す。従って、シーリングカバー２０によって上部作業孔４及び下部作業孔６がシールされたままで、センターレール８が露出された状態になり、シーリングカバー２０のドアパネル１への装着作業が終了する。
【００２２】
なお、前述した実施の形態ではドアパネル１を例にして説明したが、ピラーパネルインナやサイドレールパネルインナの他、作業孔を備えた車体部分であればどの部分でも前述した実施形態と同様に本発明を実施することで、同様の効果を得ることができる。
【図面の簡単な説明】
【００２３】
【図１】本発明の一実施の形態に係わるシーリングカバーを用いたドアパネルのシール方法を示し、同図（ａ）はドアパネルの斜視図であり、同図（ｂ）はドアパネルに装着されたシーリングカバーの斜視図である。
【図２】本発明の一実施の形態に係わるシーリングカバーを用いたドアパネルのシール方法及びシール構造を示し、同図（ｃ）及び（ｄ）はドアパネルの斜視図である。
【図３】本発明の一実施の形態に係わる他のシーリングカバーを用いたドアパネルのシール方法を示し、同図（ａ）はドアパネルの側面図であり、同図（ｂ）から同図（ｄ）は同図（ａ）のIII−III矢視に相当する部分の断面図を示す。
【符号の説明】
【００２４】
１  ドアパネル（車体パネル）
４  上部作業孔（作業孔）
６  下部作業孔（作業孔）
８  センターレール
８ａ  溝部
２０  シーリングカバー
２１  カバー中間部
２２  凸部
２６  第１破断線
２７  第２破断線 
【図１】
0004611691.tif 000002
【図２】
0004611691.tif 000003
【図３】
0004611691.tif 000004